(57)【要約】【課題】  偏向コイルの巻線配置の自由度を確保しながら、偏向電力が低減されたカラー受像管装置を提供する。【解決手段】  偏向ヨークを構成するフェライトコア９は、その内面に畝状の複数の凸部１０を備える。複数の凸部１０のうち、水平方向軸に対して−２０°〜＋２０°の範囲及び垂直方向軸に対して−２０°〜＋２０°の範囲を除く範囲内にある凸部を対角凸部としたとき、水平方向軸上にある水平軸上凸部Ｐ１，Ｐ１１及び垂直方向軸上にある垂直軸上凸部Ｐ６，Ｐ１６のうちの少なくとも一方の管軸方向の長さを、対角凸部の管軸方向の長さより長くする。【選択図】  図３
2005100953.tif 000002
【特許請求の範囲】
【請求項１】
電子銃から放射された電子ビームに対して水平偏向磁界及び垂直偏向磁界を作用させて水平方向及び垂直方向に偏向させる偏向ヨークを備えるカラー受像管装置であって、
前記偏向ヨークは、フェライトコアと、前記水平偏向磁界を発する水平偏向コイルと、前記垂直偏向磁界を発する垂直偏向コイルと、前記水平偏向コイルと前記垂直偏向コイルとを絶縁する絶縁枠とを有し、
前記フェライトコアは、その内面に、前記フェライトコアの周方向に配列された複数の凸部を有し、
前記凸部のそれぞれは、前記カラー受像管装置の管軸に向かって突出し、且つ前記管軸を含む面にほぼ沿った畝状であり、
複数の前記凸部のうち、水平方向軸上にある凸部を水平軸上凸部、垂直方向軸上にある凸部を垂直軸上凸部、水平方向軸に対して−２０°〜＋２０°の範囲及び垂直方向軸に対して−２０°〜＋２０°の範囲を除く範囲内にある凸部を対角凸部としたとき、前記垂直軸上凸部の前記管軸方向の長さは、前記対角凸部の前記管軸方向の長さより長いことを特徴とするカラー受像管装置。
【請求項２】
前記垂直軸上凸部の前記管軸方向の長さは、前記垂直軸上凸部を除く前記凸部の前記管軸方向の長さより長い請求項１に記載のカラー受像管装置。
【請求項３】
垂直方向軸に対して−２０°〜＋２０°の範囲内にある全ての凸部の前記管軸方向の長さは、前記対角凸部の前記管軸方向の長さより長い請求項１に記載のカラー受像管装置。
【請求項４】
前記フェライトコアの前記管軸方向の寸法に対する前記凸部の管軸方向の長さの比をＲＬとしたとき、前記対角凸部についての前記比ＲＬが０．６７以上である請求項１に記載のカラー受像管装置。
【請求項５】
前記管軸方向長さが前記対角凸部より長い凸部の蛍光体スクリーン側端は、前記対角凸部の蛍光体スクリーン側端よりも、蛍光体スクリーン側に位置する請求項１に記載のカラー受像管装置。
【請求項６】
電子銃から放射された電子ビームに対して水平偏向磁界及び垂直偏向磁界を作用させて水平方向及び垂直方向に偏向させる偏向ヨークを備えるカラー受像管装置であって、
前記偏向ヨークは、フェライトコアと、前記水平偏向磁界を発する水平偏向コイルと、前記垂直偏向磁界を発する垂直偏向コイルと、前記水平偏向コイルと前記垂直偏向コイルとを絶縁する絶縁枠とを有し、
前記フェライトコアは、その内面に、前記フェライトコアの周方向に配列された複数の凸部を有し、
前記凸部のそれぞれは、前記カラー受像管装置の管軸に向かって突出し、且つ前記管軸を含む面にほぼ沿った畝状であり、
複数の前記凸部のうち、水平方向軸上にある凸部を水平軸上凸部、垂直方向軸上にある凸部を垂直軸上凸部、水平方向軸に対して−２０°〜＋２０°の範囲及び垂直方向軸に対して−２０°〜＋２０°の範囲を除く範囲内にある凸部を対角凸部としたとき、前記水平軸上凸部の前記管軸方向の長さは、前記対角凸部の前記管軸方向の長さより長いことを特徴とするカラー受像管装置。
【請求項７】
前記水平軸上凸部の前記管軸方向の長さは、前記水平軸上凸部を除く前記凸部の前記管軸方向の長さより長い請求項６に記載のカラー受像管装置。
【請求項８】
水平方向軸に対して−２０°〜＋２０°の範囲内にある全ての凸部の前記管軸方向の長さは、前記対角凸部の前記管軸方向の長さより長い請求項６に記載のカラー受像管装置。
【請求項９】
前記フェライトコアの前記管軸方向の寸法に対する前記凸部の管軸方向の長さの比をＲＬとしたとき、前記対角凸部についての前記比ＲＬが０．６７以上である請求項６に記載のカラー受像管装置。
【請求項１０】
前記管軸方向長さが前記対角凸部より長い凸部の蛍光体スクリーン側端は、前記対角凸部の蛍光体スクリーン側端よりも、蛍光体スクリーン側に位置する請求項６に記載のカラー受像管装置。
【請求項１１】
電子銃から放射された電子ビームに対して水平偏向磁界及び垂直偏向磁界を作用させて水平方向及び垂直方向に偏向させる偏向ヨークを備えるカラー受像管装置であって、
前記偏向ヨークは、フェライトコアと、前記水平偏向磁界を発する水平偏向コイルと、前記垂直偏向磁界を発する垂直偏向コイルと、前記水平偏向コイルと前記垂直偏向コイルとを絶縁する絶縁枠とを有し、
前記フェライトコアは、その内面に、前記フェライトコアの周方向に配列された複数の凸部を有し、
前記凸部のそれぞれは、前記カラー受像管装置の管軸に向かって突出し、且つ前記管軸を含む面にほぼ沿った畝状であり、
複数の前記凸部のうち、水平方向軸上にある凸部を水平軸上凸部、垂直方向軸上にある凸部を垂直軸上凸部、水平方向軸に対して−２０°〜＋２０°の範囲及び垂直方向軸に対して−２０°〜＋２０°の範囲を除く範囲内にある凸部を対角凸部としたとき、前記水平軸上凸部及び前記垂直軸上凸部の前記管軸方向の長さは、前記対角凸部の前記管軸方向の長さより長いことを特徴とするカラー受像管装置。
【請求項１２】
前記水平軸上凸部及び前記垂直軸上凸部の前記管軸方向の長さは、これらを除く前記凸部の前記管軸方向の長さより長い請求項１１に記載のカラー受像管装置。
【請求項１３】
水平方向軸に対して−２０°〜＋２０°の範囲内にある全ての凸部の前記管軸方向の長さは、前記対角凸部の前記管軸方向の長さより長い請求項１１に記載のカラー受像管装置。
【請求項１４】
垂直方向軸に対して−２０°〜＋２０°の範囲内にある全ての凸部の前記管軸方向の長さは、前記対角凸部の前記管軸方向の長さより長い請求項１１に記載のカラー受像管装置。
【請求項１５】
前記フェライトコアの前記管軸方向の寸法に対する前記凸部の管軸方向の長さの比をＲＬとしたとき、前記対角凸部についての前記比ＲＬが０．６７以上である請求項１１に記載のカラー受像管装置。
【請求項１６】
前記管軸方向長さが前記対角凸部より長い凸部の蛍光体スクリーン側端は、前記対角凸部の蛍光体スクリーン側端よりも、蛍光体スクリーン側に位置する請求項１１に記載のカラー受像管装置。
【発明の詳細な説明】
【技術分野】
【０００１】
本発明は、テレビジョンまたはコンピュータディスプレイ等に用いられるカラー受像管装置に関する。
【背景技術】
【０００２】
偏向電力の低減及び偏向ヨークの発熱抑制のために、偏向ヨークを構成するフェライトコアの内面に、受像管の管軸方向に向かって突出する複数の凸部を設けた、いわゆるスロットコアが特許文献１に開示されている。このスロットコアを有する偏向ヨークの、電子銃寄りの位置での管軸に垂直な面での断面図を図７に示す。９はフェライトコアであり、１０はその内面に設けられた複数の凸部である。周方向に隣り合う凸部１０の間の溝内に巻線を嵌め込ませて垂直偏向コイル７と水平偏向コイル６とが巻装されている。８は垂直偏向コイル７と水平偏向コイル６とを絶縁するための絶縁スペーサである。各凸部１０は管軸を含む面に沿って、フェライトコア９の電子銃側端からスクリーン側端までの管軸方向の全領域にわたって延設されている。このような凸部１０を設けることにより、凸部１０を設けない場合に比べて、フェライトコア９を受像管に近づけることができるため、偏向効率を改善でき、偏向電力の低減に有利である。また、コイル６，７に磁束が鎖交しにくくなるので、渦電流損失が低減し、偏向ヨークの発熱も低減できる。
【０００３】
特許文献１のスロットコアでは、フェライトコア９の管軸方向の両端間に延びる複数の凸部１０の間の溝内に水平偏向コイル６及び垂直偏向コイル７の巻線を嵌め込んで巻装するので、フェライトコア９の管軸方向の全長にわたって、水平偏向コイル６の巻線と垂直偏向コイル７の巻線とを共通する溝に沿って溝からはみ出させることなく配置する必要がある。従って、巻線配置の自由度が制限されるという問題がある。
【０００４】
この問題に対して、特許文献２には、管軸方向において電子銃側の一部の領域にのみ凸部１０を設けたフェライトコア９が提案されている。図８にこのフェライトコア９のスクリーン側から見た正面図を示す。図８に示すフェライトコア９では、スクリーン側の内面には凸部１０が形成されていない。従って、この凸部１０が形成されていない領域にて水平偏向コイル及び垂直偏向コイルの巻線配置を自由に設定することにより、偏向磁界分布を適切に調整することができるので、色ズレやラスタ歪みを低減することができる。
【特許文献１】実開昭６１-５６７５７号公報
【特許文献２】実公平７−３５２８９号公報
【発明の開示】
【発明が解決しようとする課題】
【０００５】
しかしながら、上記の図８に示したスロットコアは、昨今の更なる偏向電力の低減要求を十分に満足させることはできない。
【０００６】
本発明は、従来技術における上記の課題を解決するためになされたものであって、コイルの巻線配置の自由度を確保しながらも、偏向電力をより一層低減することが可能な偏向ヨークを備え、極めて優れた品質でありながら省電力のカラー受像管装置を提供することを目的とする。
【課題を解決するための手段】
【０００７】
上記目的を達成するため、本発明に係るカラー受像管装置は、電子銃から放射された電子ビームに対して水平偏向磁界及び垂直偏向磁界を作用させて水平方向及び垂直方向に偏向させる偏向ヨークを備える。前記偏向ヨークは、フェライトコアと、前記水平偏向磁界を発する水平偏向コイルと、前記垂直偏向磁界を発する垂直偏向コイルと、前記水平偏向コイルと前記垂直偏向コイルとを絶縁する絶縁枠とを有する。前記フェライトコアは、その内面に、前記フェライトコアの周方向に配列された複数の凸部を有し、前記凸部のそれぞれは、前記カラー受像管装置の管軸に向かって突出し、且つ前記管軸を含む面にほぼ沿った畝状である。複数の前記凸部のうち、水平方向軸上にある凸部を水平軸上凸部、垂直方向軸上にある凸部を垂直軸上凸部、水平方向軸に対して−２０°〜＋２０°の範囲及び垂直方向軸に対して−２０°〜＋２０°の範囲を除く範囲内にある凸部を対角凸部とする。
【０００８】
本発明の第１のカラー受像管装置では、前記垂直軸上凸部の前記管軸方向の長さは、前記対角凸部の前記管軸方向の長さより長い。
【０００９】
本発明の第２のカラー受像管装置では、前記水平軸上凸部の前記管軸方向の長さは、前記対角凸部の前記管軸方向の長さより長い。
【００１０】
本発明の第３のカラー受像管装置では、前記水平軸上凸部及び前記垂直軸上凸部の前記管軸方向の長さは、前記対角凸部の前記管軸方向の長さより長い。
【発明の効果】
【００１１】
本発明のカラー受像管によれば、水平軸上凸部及び垂直軸上凸部のうちの少なくとも一方の管軸方向の長さが、対角凸部の管軸方向の長さより長いので、水平偏向コイル及び垂直偏向コイルの巻線配置の自由度を確保しながら、偏向電力を低減できる。従って、所望する偏向磁界分布を形成するように水平偏向コイル及び垂直偏向コイルの巻線を配置できるので、極めて優れた品質で省電力のカラー受像管を提供することができる。
【発明を実施するための最良の形態】
【００１２】
以下、本発明を具体的な数値例を示しながら説明する。しかしながら、以下に示す数値例はあくまでも一例に過ぎず、本発明はこれに限定されるものではない。
【００１３】
図１は本発明が適用された、対角サイズが３６インチでアスペクト比が１６：９の平面スクリーンを有し、偏向角が１００°のカラー受像管装置の外観図である。以下の説明の便宜のために、管軸をＺ軸、水平方向（スクリーンの長辺方向）軸をＸ軸、垂直方向（スクリーンの短辺方向）軸をＹ軸とする。Ｘ軸とＹ軸とはＺ軸上にて互いに直角に交差する。
【００１４】
カラー受像管装置は、内面に蛍光体スクリーン（図示せず）が形成された前面パネル１及びファンネル２からなる外囲器と、ファンネル２のネック部内に設けられた電子銃３とを備えるカラー受像管と、ファンネル２の外周面に装着された偏向ヨーク４及びコンバーゼンスヨーク５とを含む。電子銃３は、Ｘ軸方向にインライン状に配置された３つの陰極を含み、赤（Ｒ）、緑（Ｇ）、青（Ｂ）の３色に対応する３本の電子ビームを発する。
【００１５】
図２は偏向ヨーク４の、フェライトコア９を含む位置でのＺ軸に垂直な面での断面図である。偏向ヨーク４は、フェライトコア９と、電子ビームを水平方向に偏向するための水平偏向磁界を発するサドル型の水平偏向コイル６と、電子ビームを垂直方向に偏向するための垂直偏向磁界を発する垂直偏向コイル７と、水平偏向コイル６と垂直偏向コイル７とを絶縁する樹脂製の絶縁スペーサ８とを有する。
【００１６】
フェライトコア９は、略漏斗形状を有し、その内面には、Ｚ軸に向かって突出し、且つＺ軸を含む面にほぼ沿った畝状の複数の凸部１０が形成されている。本実施形態では、凸部１０の数は２０個であり、フェライトコア９の内面の周方向に、Ｚ軸に対して１８°の等角度間隔で配置されている。ここで、図２に示すように、Ｘ軸上右側の凸部１０を凸部Ｐ１とし、これから反時計回り方向に順に連番を付して、２０個の凸部１０を凸部Ｐ１〜Ｐ２０と呼んで区別する。そして、Ｘ軸上にある凸部Ｐ１，Ｐ１１を水平軸上凸部と呼び、Ｙ軸上にある凸部Ｐ６，Ｐ１６を垂直軸上凸部と呼ぶことにする。
【００１７】
周方向に隣り合う凸部１０の間の溝内には水平偏向コイル６及び／又は垂直偏向コイル７の各巻線が嵌め込まれて固定されている。水平偏向コイル６と垂直偏向コイル７との間には絶縁スペーサ８が介在し、両者の絶縁が確保されている。
【００１８】
図３は、フェライトコア９をスクリーン側（大径側）から見た正面図である。図示したように、凸部Ｐ１〜Ｐ２０のＺ軸方向の長さはすべて同一ではない。具体的には、フェライトコア９のＺ軸方向寸法４５ｍｍに対して、偏向感度に特に影響を及ぼす水平軸上凸部Ｐ１，Ｐ１１及び垂直軸上凸部Ｐ６，Ｐ１６のＺ軸方向長さは４５ｍｍであり、これら以外の凸部Ｐ２〜Ｐ５，Ｐ７〜Ｐ１０，Ｐ１２〜Ｐ１５，Ｐ１７〜Ｐ２０のＺ軸方向長さは３０ｍｍである。ここで、全ての凸部Ｐ１〜Ｐ２０の電子銃側端のＺ軸方向における位置は、フェライトコア９の電子銃側（小径側）端のＺ軸方向における位置と一致している。
【００１９】
フェライトコア９のＺ軸方向寸法に対する凸部１０のＺ軸方向長さの比をＲＬとすると、水平軸上凸部Ｐ１，Ｐ１１及び垂直軸上凸部Ｐ６，Ｐ１６についてはＲＬ＝１であり、これら以外の凸部Ｐ２〜Ｐ５，Ｐ７〜Ｐ１０，Ｐ１２〜Ｐ１５，Ｐ１７〜Ｐ２０についてはＲＬ＝０．６７である。
【００２０】
一般に、凸部１０のＺ軸方向長さが長いほど、即ち比ＲＬが大きいほど、偏向電力の低減に有効であるが、コイルの巻線配置の自由度は低下する。但し、本発明者らの検討によれば、ＲＬがある値を超えると偏向電力の低減効果はほぼ飽和する。従って、本実施形態は、偏向電力の低減とコイル巻線配置の自由度確保との最適バランス点がＲＬ＝０．６７にて得られることを確認した上で設計されている。これに従い、凸部Ｐ２〜Ｐ５，Ｐ７〜Ｐ１０，Ｐ１２〜Ｐ１５，Ｐ１７〜Ｐ２０のＲＬは、この最適バランス点に合致するように設定している。ところが、水平軸上凸部Ｐ１，Ｐ１１及び垂直軸上凸部Ｐ６，Ｐ１６のＲＬについては、敢えてこの最適バランス点から外れた値（ＲＬ＝１）に設定している。これにより、実験によって、全ての凸部Ｐ１〜Ｐ２０のＲＬを０．６７に設定した場合に比べて、偏向電力を２〜３％低減できることを確認した。しかも、このとき、コイルの巻線配置の自由度は何ら損なわれない。以下にこれを説明する。
【００２１】
最初に、垂直偏向コイル７について説明する。図４は垂直偏向コイル７が巻装されたフェライトコア９をスクリーン側（大径側）から見た正面図である。図４において、１３は、フェライトコア９の大径側の外周縁に、Ｚ軸に対して凸部１０とほぼ同角度位置に設けられた垂直偏向コイル巻線案内用突起である。
【００２２】
垂直偏向コイル７はＹＺ面を挟んで対称に巻装された一対の巻線からなる。フェライトコア９の内面において、Ｚ軸方向において凸部Ｐ２〜Ｐ５，Ｐ７〜Ｐ１０，Ｐ１２〜Ｐ１５，Ｐ１７〜Ｐ２０が設けられている範囲では、巻線は隣り合う凸部１０の間の溝内に嵌り込んで固定され、凸部Ｐ２〜Ｐ５，Ｐ７〜Ｐ１０，Ｐ１２〜Ｐ１５，Ｐ１７〜Ｐ２０が設けられていない範囲では、所望する巻線分布となるように巻線が配置されている。フェライトコア９の大径側では、巻線は突起１３の間に案内されて固定される。このように、小径側における隣り合う凸部１０間の溝への巻線配分と、大径側における突起１３間への巻線配分とを、相互に独立して自由に設定することができるので、巻線配置の自由度が確保される。
【００２３】
このとき、フェライトコア９の大径側端まで延びた水平軸上凸部Ｐ１，Ｐ１１及び垂直軸上凸部Ｐ６，Ｐ１６は、巻線配置の自由度を何ら阻害しない。なぜなら、垂直偏向コイル７はフェライトコア９の内部に略Ｘ軸方向の磁界を形成する必要があるので、その巻線が水平軸上凸部Ｐ１，Ｐ１１の近傍に配置されることはなく、また、垂直偏向コイル７はＹＺ面を挟む一対のコイルから構成されるのでＹＺ面と交差するように巻線が配置されることがないからである。
【００２４】
次に、水平偏向コイル６について説明する。図５は水平偏向コイル６が巻装されたフェライトコア９（図５では見えない）をスクリーン側（大径側）から見た正面図である。図６は、図２及び図５におけるVI-VI線での矢視断面図である。水平偏向コイル６は垂直偏向コイル７よりもＺ軸側に配置される。しかも、水平偏向コイル６と垂直偏向コイル７との絶縁を確保する必要がある。そこで、図６に示すように、垂直偏向コイル７の内側に、Ｚ軸方向において凸部Ｐ２〜Ｐ５，Ｐ７〜Ｐ１０，Ｐ１２〜Ｐ１５，Ｐ１７〜Ｐ２０が設けられている範囲には絶縁スペーサ８が、凸部Ｐ２〜Ｐ５，Ｐ７〜Ｐ１０，Ｐ１２〜Ｐ１５，Ｐ１７〜Ｐ２０が設けられていない範囲には樹脂からなる漏斗状の絶縁リング１４が、それぞれ設けられている。絶縁スペーサ８及び絶縁リング１４は、いずれも水平偏向コイル６と垂直偏向コイル７とを絶縁する絶縁枠として機能する。絶縁スペーサ８には、フェライトコア９の内面の凸部１０に対応する位置にスリット（切り欠き）が設けられているので、図２に示すように、絶縁スペーサ８は凸部１０間の溝内に嵌入し、凸部１０は絶縁スペーサ８よりもＺ軸方向に突出する。図５において、１５は、絶縁リング１４の大径側の外周縁に、Ｚ軸に対して凸部１０とほぼ同角度位置に設けられた水平偏向コイル巻線案内用突起である。
【００２５】
水平偏向コイル６はＸＺ面を挟んで対称に巻装された一対の巻線からなる。Ｚ軸方向において凸部Ｐ２〜Ｐ５，Ｐ７〜Ｐ１０，Ｐ１２〜Ｐ１５，Ｐ１７〜Ｐ２０が設けられている範囲では、巻線は隣り合う凸部１０の間の溝内に嵌り込んで絶縁スペーサ８の内面上に固定され、凸部Ｐ２〜Ｐ５，Ｐ７〜Ｐ１０，Ｐ１２〜Ｐ１５，Ｐ１７〜Ｐ２０が設けられていない範囲では、所望する巻線分布となるように巻線が絶縁リング１４の内面に沿って配置されている。絶縁リング１４の大径側では、巻線は突起１５の間に案内されて固定される。このように、小径側における隣り合う凸部１０間の溝への巻線配分と、大径側における突起１５間のへの巻線配分とを、相互に独立して自由に設定することができるので、巻線配置の自由度が確保される。
【００２６】
このとき、フェライトコア９の大径側端まで延びた水平軸上凸部Ｐ１，Ｐ１１及び垂直軸上凸部Ｐ６，Ｐ１６は、巻線配置の自由度を何ら阻害しない。なぜなら、水平偏向コイル６はＸＺ面を挟む一対のコイルから構成されるのでＸＺ面と交差するように巻線が配置されることがなく、また、水平偏向コイル６はフェライトコア９の内部に略Ｙ軸方向の磁界を形成する必要があるので、その巻線が垂直軸上凸部Ｐ６，Ｐ１６の近傍に配置されることはないからである。
【００２７】
以上のように、上記の実施形態によれば、フェライトコア９の内面に設けられた複数の凸部１０のうち水平軸上凸部Ｐ１，Ｐ１１及び垂直軸上凸部Ｐ６，Ｐ１６のＺ軸方向の長さをこれら以外の凸部Ｐ２〜Ｐ５，Ｐ７〜Ｐ１０，Ｐ１２〜Ｐ１５，Ｐ１７〜Ｐ２０のＺ軸方向の長さよりも長くしているので、水平偏向コイル６及び垂直偏向コイル７の巻線配置の自由度を確保しながら、偏向電力を２〜３％低減することができる。
【００２８】
但し、本発明は上記の実施形態に限定されず、種々の変更が可能である。
【００２９】
例えば、上記の実施形態では、水平軸上凸部Ｐ１，Ｐ１１及び垂直軸上凸部Ｐ６，Ｐ１６をこれら以外の凸部よりもＺ軸方向の長さを長くしたが、水平軸上凸部Ｐ１，Ｐ１１及び垂直軸上凸部Ｐ６，Ｐ１６のうちのいずれか一方のみを残りの凸部より長くしても良い。この場合には、上記の実施形態に比べて、偏向電力の低減効果はやや劣るものの、巻線配置の自由度を同様に確保することができる。
【００３０】
また、上記の実施形態では、Ｚ軸方向の長さを長くする凸部を、水平軸上凸部Ｐ１，Ｐ１１及び垂直軸上凸部Ｐ６，Ｐ１６に限定したが、Ｘ軸及びＹ軸上には位置していないがＸ軸及びＹ軸の近傍に配置された凸部についても、同様にＺ軸方向の長さを長くしても良い。Ｚ軸を中心としてＸ軸に対して−２０°〜＋２０°の範囲内にある凸部（上記の実施形態では凸部Ｐ１，Ｐ２，Ｐ１０〜Ｐ１２，Ｐ２０が該当する）を水平軸近傍凸部と呼び、Ｚ軸を中心としてＹ軸に対して−２０°〜＋２０°の範囲内にある凸部（上記の実施形態では凸部Ｐ５〜Ｐ７，Ｐ１５〜Ｐ１７が該当する）を垂直軸近傍凸部と呼び、Ｚ軸を中心としてＸ軸に対して−２０°〜＋２０°の範囲及びＺ軸を中心としてＹ軸に対して−２０°〜＋２０°の範囲を除く範囲内にある凸部（上記の実施形態では凸部Ｐ３，Ｐ４，Ｐ８，Ｐ９，Ｐ１３，Ｐ１４，Ｐ１８，Ｐ１９が該当する）を対角凸部と呼ぶことにすると、水平軸近傍凸部及び垂直軸近傍凸部のうちのいずれか一方（好ましくは両方）のＺ軸方向の長さを、対角凸部のＺ軸方向の長さより長くしてもよい。Ｚ軸方向の長さが長い凸部１０の個数比率が増大するほど、偏向電力の低減効果は向上する。実験によって、上記の実施形態において、水平軸近傍凸部Ｐ１，Ｐ２，Ｐ１０〜Ｐ１２，Ｐ２０及び垂直軸近傍凸部Ｐ５〜Ｐ７，Ｐ１５〜Ｐ１７のＺ軸方向の長さを全て４５ｍｍ（ＲＬ＝１）に設定したとき、全ての凸部Ｐ１〜Ｐ２０のＲＬを０．６７に設定した場合に比べて、偏向電力を３％低減できることを確認した。しかも、このとき、コイルの巻線配置の自由度は何ら損なわれなかった。なお、凸部１０のＸ軸又はＹ軸に対してなす角度は、図２に示すＸＹ面内において凸部１０のＺ軸を通る中心線がＸ軸又はＹ軸に対してなす角度で定義する。
【００３１】
上記の実施形態では、対角凸部についての比ＲＬを０．６７に設定したが、本発明はこれに限定されない。特に、コイルの巻線配置の自由度を著しく低下させない範囲で対角凸部についての比ＲＬを０．６７以上に設定すると、偏向電力を低減することができる。
【００３２】
本発明において、凸部１０のＺ軸方向長さを異ならせる場合、長い凸部も短い凸部もその電子銃側端のＺ軸方向における位置はフェライトコア９の電子銃側（小径側）端のＺ軸方向における位置の近傍の同一位置とし、長い凸部の蛍光体スクリーン側端を短い凸部の蛍光体スクリーン側端よりも蛍光体スクリーン側に位置するように設定することが好ましい。これにより、コイルの巻線配置をフェライトコア９の大径側にて調整できるので、巻線配置を小径側で調整する場合に比べて、大きな調整範囲を確保できる。従って、所望する偏向磁界分布を容易に得ることができる。
【００３３】
上記の実施形態に示したフェライトコア９のＺ軸に垂直な面での断面形状は、小径側で略円形、大径側で略長方形である場合を示したが、本発明はこれに限定されない。例えば、Ｚ軸方向の位置に拘わらず、Ｚ軸に垂直な面での断面形状が略円形であっても良い。
【産業上の利用可能性】
【００３４】
本発明のカラー受像管装置の利用分野は特に限定されず、テレビジョンまたはコンピュータディスプレイ等に広範囲に利用できる。
【図面の簡単な説明】
【００３５】
【図１】本発明の一実施形態にかかるカラー受像管装置の外観を示した側面図
【図２】本発明の一実施形態にかかる偏向ヨークのＺ軸に垂直な面での断面図
【図３】本発明の一実施形態にかかるフェライトコアの、スクリーン側（大径側）から見た正面図
【図４】本発明の一実施形態において、垂直偏向コイルが巻装されたフェライトコアの、スクリーン側（大径側）から見た正面図
【図５】本発明の一実施形態において、水平偏向コイルが巻装されたフェライトコアの、スクリーン側（大径側）から見た正面図
【図６】図２及び図５におけるVI-VI線での矢視断面図
【図７】従来の偏向ヨークの管軸に垂直な面での断面図
【図８】従来のフェライトコアのスクリーン側から見た正面図
【符号の説明】
【００３６】
１……  前面パネル
２……  ファンネル
３……  電子銃
４……  偏向ヨーク
５……  コンバーゼンスヨーク
６……  水平偏向コイル
７……  垂直偏向コイル
８……  絶縁スペーサ（絶縁枠）
９……  フェライトコア
１０……凸部
１３……垂直偏向コイル巻線案内用突起
１４……絶縁リング（絶縁枠）
１５……水平偏向コイル巻線案内用突起
【図１】
2005100953.tif 000003
【図２】
2005100953.tif 000004
【図３】
2005100953.tif 000005
【図４】
2005100953.tif 000006
【図５】
2005100953.tif 000007
【図６】
2005100953.tif 000008
【図７】
2005100953.tif 000009
【図８】
2005100953.tif 000010